(57)【要約】【課題】  内窓が変形したり破損したりすることを防止できる建具の提供。【解決手段】  外窓１と内窓２を備え、内窓２は、枠３ａ，３ｂと障子６，７間の隙間を塞ぐ軟質ヒレ４ａ，４ｂを有し、外窓・内窓間の中間層５と室内との圧力差により、軟質ヒレ４ａ，４ｂが変形して中間層５の圧力を逃がす。【選択図】      図１
2020101026.tif 000002
【特許請求の範囲】
【請求項１】
外窓と内窓を備え、内窓は、枠と障子間の隙間を塞ぐ軟質ヒレを有し、外窓・内窓間の中間層と室内との圧力差により、軟質ヒレが変形して中間層の圧力を逃がすことを特徴とする建具。
【請求項２】
外窓と内窓を備え、内窓は、枠と、枠内に納めた外障子と内障子を有し、外障子は、枠の外レールの室外側のみに外レールに当接する軟質ヒレを有し、内障子は、枠の内レールの室内側のみに内レールに当接する軟質ヒレを有し、外窓・内窓間の中間層と室内との圧力差により、外障子が室外側に移動して軟質ヒレが外レールから離れるか、内障子が室内側に移動して軟質ヒレが内レールから離れることで、中間層の圧力を逃がすことを特徴とする建具。
【発明の詳細な説明】
【技術分野】
【０００１】
本発明は、外窓と内窓を備える建具に関する。
【背景技術】
【０００２】
従来より、断熱性や遮音性を向上するために、既存の窓（外窓）の室内側に内窓を設置することがある。このような二重窓においては、外窓に強い風圧（正圧、負圧）を受けると、外窓・内窓間の中間層が外窓に押されて圧縮されたり引っ張られて膨張したりして、中間層の圧力が変化し、これが原因で内窓が変形したり破損したりするおそれがある。これを防ぐために、どのサッシメーカーも、強風時や長期不在時には、内窓を少し開けるように注意喚起を行っており（非特許文献１参照）、せっかくの内窓の効果が損なわれている。また、中高層の建物に内窓を設置した場合には、戸建て住宅の場合よりも風圧による使用環境が悪くなるので、内窓が変形したり破損したりするリスクが高まる。
【先行技術文献】
【非特許文献】
【０００３】
【非特許文献１】三協立山株式会社 三協アルミ社発行の取り扱い説明書「使い方・お手入れハンドブック」（カタログＮｏ．ＳＴＪ１１５８Ｄ  ＴＳ．１７．１１−０１２）、２０１７年１１月、ｐ．３４８
【発明の概要】
【発明が解決しようとする課題】
【０００４】
本発明は以上に述べた実情に鑑み、内窓が変形したり破損したりすることを防止できる建具の提供を目的とする。
【課題を解決するための手段】
【０００５】
上記の課題を達成するために請求項１記載の発明による建具は、外窓と内窓を備え、内窓は、枠と障子間の隙間を塞ぐ軟質ヒレを有し、外窓・内窓間の中間層と室内との圧力差により、軟質ヒレが変形して中間層の圧力を逃がすことを特徴とする。
【０００６】
請求項２記載の発明による建具は、外窓と内窓を備え、内窓は、枠と、枠内に納めた外障子と内障子を有し、外障子は、枠の外レールの室外側のみに外レールに当接する軟質ヒレを有し、内障子は、枠の内レールの室内側のみに内レールに当接する軟質ヒレを有し、外窓・内窓間の中間層と室内との圧力差により、外障子が室外側に移動して軟質ヒレが外レールから離れるか、内障子が室内側に移動して軟質ヒレが内レールから離れることで、中間層の圧力を逃がすことを特徴とする。
【発明の効果】
【０００７】
請求項１記載の発明による建具は、内窓に枠と障子間の隙間を塞ぐ軟質ヒレを有し、外窓・内窓間の中間層と室内との圧力差により、軟質ヒレが変形して中間層の圧力を逃がすので、強風時に内窓を閉め切ったままでも、内窓が変形したり破損したりすることを防止できる。
【０００８】
請求項２記載の発明による建具は、外障子は、枠の外レールの室外側のみに外レールに当接する軟質ヒレを有し、内障子は、枠の内レールの室内側のみに内レールに当接する軟質ヒレを有し、外窓・内窓間の中間層と室内との圧力差により、外障子が室外側に移動して軟質ヒレが外レールから離れるか、内障子が室内側に移動して軟質ヒレが内レールから離れることで、中間層の圧力を逃がすので、強風時に内窓を閉め切ったままでも、内窓が変形したり破損したりすることを防止できる。
【図面の簡単な説明】
【０００９】
【図１】本発明の第１実施形態に係る建具の横断面図である。
【図２】同建具の縦断面図である。
【図３】（ａ）は正圧がかかったときの内窓の横断面図であり、（ｂ）は負圧がかかったときの内窓の横断面図である。
【図４】本発明の第２実施形態に係る建具の縦断面図である。
【図５】同建具の内窓の上部を拡大して示す縦断面図である。
【図６】同建具の横断面図である。
【図７】（ａ）は正圧がかかったときの内窓上部の縦断面図であり、（ｂ）は負圧がかかったときの内窓上部の縦断面図である。
【図８】（ａ）は負圧がかかったときの内窓の外障子側の横断面図であり、（ｂ）は正圧がかかったときの内窓の内障子側の横断面図である。
【図９】本発明の第３実施形態に係る建具の内窓の縦断面図である。
【図１０】（ａ）は正圧がかかったときの内窓の縦断面図であり、（ｂ）は負圧がかかったときの内窓の縦断面図である。
【図１１】本発明の第４実施形態に係る建具の内窓の障子の一部を拡大して示す室内側正面図である。
【図１２】本発明の第５実施形態に係る建具の内窓の縦断面図である。
【図１３】同建具の内窓の障子の一部を拡大して示す斜視図であって、バッフルプレートが開いた状態を示す。
【図１４】（ａ）は正圧がかかったときの内窓の縦断面図であり、（ｂ）は負圧がかかったときの内窓の縦断面図である。
【図１５】本発明の第６実施形態に係る建具の内窓の縦断面図である。
【図１６】同建具の室内側正面図である。
【図１７】（ａ）は正圧がかかったときの内窓の縦断面図であり、（ｂ）は負圧がかかったときの内窓の縦断面図である。
【図１８】本発明の第７実施形態に係る建具の室内側正面図である。
【図１９】同建具の内窓の縦断面図である。
【図２０】同建具の内窓の内障子に設けられる通風部品の構造を示す斜視図である。
【図２１】正圧がかかったときの内窓の縦断面図である。
【図２２】第７実施形態に係る建具の変形例を示す内窓の障子の縦断面図であって、正圧がかかったときの状態を示す。
【図２３】本発明の第８実施形態に係る建具の室内側正面図である。
【図２４】同建具の内窓の障子の縦断面図であって、（ａ）は平常時の状態、（ｂ）は火災時の状態を示す。
【発明を実施するための形態】
【００１０】
以下、本発明の実施の形態を図面に基づいて説明する。図１，２は、本発明の建具の第１実施形態を示している。本建具は、室外側に既存の外窓１が取付けられている窓開口部の室内側に内窓２を取付けて二重窓にしたものである。
【００１１】
外窓１は、上枠１４と下枠１５と左右の縦枠１６，１６を枠組みしてなる枠と、枠内に引違い状に開閉自在に納めた外障子１７及び内障子１８を備える。枠１４，１５，１６と障子１７，１８の框は、アルミ製である。
【００１２】
内窓２は、上枠８と下枠１９と左右の縦枠３ａ，３ｂを、枠組みしない状態で額縁２０の内周面にそれぞれ取付けて形成した枠と、枠内に引違い状に開閉自在に納めた外障子６及び内障子７を備える。外障子６と内障子７は、上框２１と下框２２と戸先框２３と召合せ框と２４を框組みし、その内側にガラス２５を嵌め込んで構成してある。枠３ａ，３ｂ，８，１９と障子６，７の框２１，２２，２３，２４は、樹脂製である。
【００１３】
内窓２は、図１に示すように、左右の縦枠３ａ，３ｂの内周側面から外障子６の戸先６ａと内障子７の戸先７ａに向けてのびる軟質ヒレ４ａ，４ｂを有しており、軟質ヒレ４ａ，４ｂにより縦枠３ａ，３ｂと障子６，７の戸先６ａ，７ａとの間の隙間を塞いでいる。軟質ヒレ４ａ，４ｂは、左右の縦枠３ａ，３ｂに室内外方向に間隔をおいて２つずつ設けてある。
【００１４】
外窓１に正圧がかかると、外窓・内窓間の中間層５が外窓１に押されて圧縮されるため、図３（ａ）に示すように、内窓２にも正圧がかかり（図中の矢印２６参照）、中間層５の気圧が室内側よりも高くなる。すると、左右の縦枠３ａ，３ｂに設けた軟質ヒレ４ａ，４ｂが室内側に向けて曲がるように変形し、軟質ヒレ４ａ，４ｂの先端が障子６，７の戸先６ａ，７ａから離れ、軟質ヒレ４ａ，４ｂの先端と障子６，７の戸先６ａ，７ａとの間の隙間を通じて中間層側から室内側に空気が流れる（図中の矢印２７参照）。これにより、中間層５の圧力が逃げ、中間層５が室内と等圧になる。
一方、外窓１に負圧がかかると、外窓・内窓の中間層５が外窓１に引っ張られて膨張するため、図３（ｂ）に示すように、内窓２にも負圧がかかり（図中の矢印２８参照）、中間層５の気圧が室内側より低くなる。すると、左右の縦枠３ａ，３ｂに設けた軟質ヒレ４ａ，４ｂが室外側に向けて曲がるように変形し、軟質ヒレ４ａ，４ｂの先端が障子６，７の戸先６ａ，７ａから離れ、軟質ヒレ４ａ，４ｂの先端と障子６，７の戸先６ａ，７ａとの間の隙間を通じて室内側から中間層側に空気が流れる（図中の矢印２９参照）。これにより、中間層５の圧力が逃げ、中間層５が室内と等圧になる。
【００１５】
以上に述べたように本建具は、内窓２に枠（縦枠）３ａ，３ｂと障子６，７間の隙間を塞ぐ軟質ヒレ４ａ，４ｂを有し、外窓・内窓間の中間層５と室内との圧力差により、軟質ヒレ４ａ，４ｂが変形して中間層５の圧力を逃がすので、強風時に内窓２を閉め切ったままでも、内窓２が変形したり破損したりすることを防止できる。
本建具は、縦枠３ａ，３ｂに軟質ヒレ４ａ，４ｂを追加するだけでよいため、容易に実施できる。
【００１６】
図４〜６は、本発明の建具の第２実施形態を示している。本建具は、図５に示すように、外障子６の上框２１は、上枠８の外レール９の室外側のみに外レール９に当接する軟質ヒレ１０を有し、内障子７の上框２１は、上枠８の内レール１１の室内側のみに内レール１１に当接する軟質ヒレ１２を有している。各軟質ヒレ１０，１２は、上框２１と一体に設けてある。
また、図６に示すように、外障子６の戸先６ａは、室内側から見て左側の縦枠３ａの内周側面に当接しており、当該縦枠３ａは外障子６の戸先部の室内側面に当接する軟質ヒレ３０ａを有している。内障子７の戸先７ａは、室内側から見て右側の縦枠３ｂの内周側面に当接しており、当該縦枠３ｂは内障子７の戸先部の室外側面に当接する軟質ヒレ３０ｂを有している。
【００１７】
図７（ａ）は、内窓２に正圧がかかったとき（図中の矢印２６参照）の状態を示している。このとき、外障子６と内障子７は正圧に押されて室内側に若干移動し、内障子７の上框２１の軟質ヒレ１２が上枠８の内レール１１から離れ、図中の矢印２７に示すように中間層側から室内側に向かって空気が流れる。同時に、図８（ｂ）に示すように、内障子７が室内側に移動するのに伴い、内障子７の戸先部が縦枠３ｂの軟質ヒレ３０ｂから離れ、図中の矢印２７に示すように、中間層側から室内側に向かって空気が流れる。これにより、中間層５の圧力が逃げ、中間層５が室内と等圧になる。
図７（ｂ）は、内窓２に負圧がかかったとき（図中の矢印２８参照）の状態を示している。このとき、外障子６と内障子７は負圧に引っ張られて室外側に若干移動し、外障子６の上框２１の軟質ヒレ１０が上枠８の外レール９から離れ、図中の矢印２９に示すように室内側から中間層側に向かって空気が流れる。同時に、図８（ａ）に示すように、外障子６が室外側に移動するのに伴い、外障子６の戸先部が縦枠３ａの軟質ヒレ３０ａから離れ、図中の矢印２９に示すように、室内側から中間層側に向かって空気が流れる。これにより、中間層５の圧力が逃げ、中間層５が室内と等圧になる。
【００１８】
以上に述べたように本建具は、外障子６は、枠（上枠）８の外レール９の室外側のみに外レール９に当接する軟質ヒレ１０を有し、内障子７は、枠（上枠）８の内レール１１の室内側のみに内レール１１に当接する軟質ヒレ１２を有し、外窓・内窓間の中間層５と室内との圧力差により、外障子６が室外側に移動して軟質ヒレ１０が外レール９から離れるか、内障子７が室内側に移動して軟質ヒレ１２が内レール１１から離れることで、中間層５の圧力を逃がすので、強風時に内窓２を閉め切ったままでも、内窓２が変形したり破損したりすることを防止できる。
本建具は、外障子６に枠８の外レール９の室外側のみに外レール９に当接する軟質ヒレ１０を設け、内障子７に枠８の内レール１１の室内側のみに内レール１１に当接する軟質ヒレ１２を設けるだけなので、容易に実施できる。なお、当初は外障子６に外レール９の室外側と室内側の両方に外レール９に当接する軟質ヒレを設け、内障子７に内レール１１の室外側と室内側の両方に内レール１１に当接する軟質ヒレを設けておき、後から外障子６の室内側の軟質ヒレを切除し、内障子７の室外側の軟質ヒレを切除してもよい。
【００１９】
図９は、本発明の建具の第３実施形態を示している。本建具は、内障子７の下框２２に室内外方向に連通する通気部３１を設け、通気部３１内に上端部を支点にして室外側及び室内側に回動可能な振り子式のシャッター３２を設けている。シャッター３２は、下端部に重りを兼ねる磁石３３が設けてあり、通気部３１下側の框内にはシャッター下部の磁石３３を引き付ける磁石３４が設けてある。また。シャッター３２の下端には通気部３１下側の框上面に当接する軟質ヒレ３５が室外側と室内側に設けてある。
【００２０】
図１０（ａ）は、内窓２に正圧がかかったとき（図中の矢印２６参照）の状態を示している。このとき、シャッター３２は正圧に押されて室内側に回動し、図中の矢印２７に示すように、通気部３１を中間層側から室内側に向かって空気が流れる。これにより、中間層５の圧力が逃げ、中間層５が室内と等圧になる。
図１０（ｂ）は、内窓２に負圧がかかったとき（図中の矢印２８参照）の状態を示している。このとき、シャッター３２は負圧に引っ張られて室外側に回動し、図中の矢印２９に示すように室内側から中間層側に向かって空気が流れる。これにより、中間層５の圧力が逃げ、中間層５が室内と等圧になる。
【００２１】
以上に述べたように本建具は、外窓・内窓間の中間層５と室内との圧力差により、シャッター３２が室内側又は室外側に回動することで、中間層５の圧力を逃がすので、強風時に内窓２を閉め切ったままでも、内窓２が変形したり破損したりすることを防止できる。
本建具は、外障子６又は内障子７の一方に通気部３１とシャッター３２を設ければ、正圧と負圧の何れにも対応できる。
【００２２】
図１１は、本発明の建具の第４実施形態を示している。本建具は、外障子６又は内障子７の少なくとも一方の下框２２に室内外方向に連通する通気部３１を設け、通気部３１内に室内外方向の中心軸回りに回転自在なスクリュー式通風部品３６が設けてある。
内障子２に正圧又は負圧がかかると、スクリュー式通風部品３６が回転して通気部３１を空気が流れ、これにより中間層５の圧力を逃がすので、強風時に内窓２を閉め切ったままでも、内窓２が変形したり破損したりすることを防止できる。
【００２３】
図１２，１３は、本発明の建具の第５実施形態を示している。本建具は、外障子６の下框２２と内障子７の下框２２とに室内外方向に連通する通気部３１が設けてあり、外障子６の通気部３１は中間層側で上端部を支点に中間層側に回動可能に設けたバッフルプレート３７ａで塞いであり、内障子７の通気部３１は上端部を支点に室内側に回動可能に設けたバッフルプレート３７ｂで塞いである。
【００２４】
図１４（ａ）は、内窓２に正圧がかかったとき（図中の矢印２６参照）の状態を示している。このとき、内障子７のバッフルプレート３７ｂが正圧に押されて室内側に開き、図中の矢印２７に示すように、通気部３１を中間層側から室内側に向かって空気が流れる。これにより、中間層５の圧力が逃げ、中間層５が室内と等圧になる。
図１４（ｂ）は、内窓２に負圧がかかったとき（図中の矢印２８参照）の状態を示している。このとき、外障子６のバッフルプレート３７ａが負圧に引っ張られて室外側に開き、図中の矢印２９に示すように室内側から中間層側に向かって空気が流れる。これにより、中間層５の圧力が逃げ、中間層５が室内と等圧になる。
このように本実施形態の建具も、正圧又は負圧がかかったときに中間層５の圧力を逃がすことができるので、強風時に内窓２を閉め切ったままでも、内窓２が変形したり破損したりすることを防止できる。
【００２５】
図１５，１６は、本発明の建具の第６実施形態を示している。本建具は、外障子６の下框２２と内障子７の下框２２とに室内外方向に連通する通気部３１が設けてあり、各通気部３１は下框２２の内部でゴム板等で形成した弁体３８ａ，３８ｂにより塞いである。外障子６の通気部３１内に設けられる弁体３８ａは、通気部３１を中間層側から室内側に空気が流れようとしたときにだけ開き、内障子７に設けられる弁体３８ｂは、通気部３１を室内側から中間層側に空気が流れようとしたときにだけ開くように設けてある。
【００２６】
図１７（ａ）は、内窓２に正圧がかかったとき（図中の矢印２６参照）の状態を示している。このとき、外障子６の通気部３１内に設けた弁体３８ａが開き、図中の矢印２７に示すように、通気部３１を中間層側から室内側に向かって空気が流れる。これにより、中間層５の圧力が逃げ、中間層５が室内と等圧になる。
図１７（ｂ）は、内窓２に負圧がかかったとき（図中の矢印２８参照）の状態を示している。このとき、内障子７の通気部３１内に設けた弁体３８ｂが開き、図中の矢印２９に示すように室内側から中間層側に向かって空気が流れる。これにより、中間層５の圧力が逃げ、中間層５が室内と等圧になる。
このように本実施形態の建具も、正圧又は負圧がかかったときに中間層５の圧力を逃がすことができるので、強風時に内窓２を閉め切ったままでも、内窓２が変形したり破損したりすることを防止できる。
【００２７】
図１８〜２０は、本発明の建具の第７実施形態を示している。本建具は、内障子２の下框２２の戸車間に室内外方向に連通する通気部３１を設け、通気部３１の室内側に通風部品３９を設けてある。通風部品３９は、図１９に示すように、Ｌ字形に空気流路４０が設けてあり、空気流路４０の上側の出口側に流路の幅を広げるテーパー部４１が設けてあり、テーパー部４１に円柱状の弁体４２を配置して空気流路４０を塞いである。空気流路４０の上側の出口は、通気孔を多数設けた蓋体４３で塞いである。
【００２８】
図２１は、内窓２に正圧がかかったとき（図中の矢印２６参照）の状態を示している。このとき、内障子７の通風部品３９内に設けた弁体４２が浮き上がり、図中の矢印２７に示すように、下框２２の通気部３１と通風部品３９の空気流路４０を通じて中間層側から室内側に向かって空気が流れる。これにより、中間層５の圧力が逃げ、中間層５が室内と等圧になる。
【００２９】
内窓２の外障子６にも通気部３１と通風部品３９を設けておけば、負圧がかかったときも中間層５の圧力を逃がすことができる。
弁体４２は、円柱状のものに限らず、多角柱（五角形や六角形）状のものであってもよい。
【００３０】
図２２は、第７実施形態の建具の変形例を示している。本建具は、障子６又は７の下框２２に室内外方向に連通する通気部３１を設け、通気部３１内に傾斜面４４を設けてあり、傾斜面４４上に配置した円柱状の弁体４２により、通気部３１の中間層側の入口を塞いでいる。
図中の矢印２６に示すように正圧がかかると、弁体４２が斜面４４に沿って浮き上がって通気部３１が開き、図中の矢印２７に示すように、中間層側から室内側に空気が流れ、中間層５の圧力を逃がす。
【００３１】
図２３，２４は、本発明の建具の第８実施形態を示している。本建具は、外障子６及び内障子７の上框２１に室内外方向に連通する通気部３１が設けてあり、上框２１内にはシャッター４５が上下動可能に設けてあり、シャッター４５には遮視板４６が垂下して設けてある。通気部３１の下側には発泡樹脂等で形成した保持ブロック４７が左右方向に間隔をおいて配置してあり、保持ブロック４７で遮視板４６を下から支えることで、図２４（ａ）に示すように、平常時はシャッター４５が通気部３１より高い位置に保持され、遮視しながら通気部３１を常に空気が流通し得る状態になっている。
【００３２】
内窓２に正圧がかかると、図２４（ａ）中の矢印２７に示すように、通気部３１を中間層側から室内側に向けて空気が流れ、中間層５の圧力を逃がす。内窓２に負圧がかかると、通気部３１を室内側から中間層側に向けて空気が流れ、中間層５の圧力を逃がす。したがって、強風時に内窓２を閉め切ったままでも、内窓２が変形したり破損したりすることを防止できる。
火災が発生すると、図２４（ｂ）に示すように、保持ブロック４７が溶融することでシャッター４５が下降し、シャッター４５が通気部３１を塞ぐ。これにより、火炎や煙が通気部３１を通過するのを防ぐことができ、防火性能を有するものとなる。
【００３３】
本発明は以上に述べた実施形態に限定されない。外窓及び内窓の枠、障子の框の材質は問わない。外窓と内窓の窓種は、引違い窓に限定されず、片引き窓やすべり出し窓等であってもよい。軟質ヒレの形状や材質は、適宜変更することができる。内窓の障子に設ける通気部は、下框に限らず、上框や縦框に設けることもできる。
【符号の説明】
【００３４】
１  外窓
２  内窓
３ａ，３ｂ  縦枠（枠）
４ａ，４ｂ  軟質ヒレ
５  中間層
６  外障子（障子）
７  内障子（障子）
８  上枠（枠）
９  外レール
１０  軟質ヒレ
１１  内レール
１２  軟質ヒレ
【図１】
2020101026.tif 000003
【図２】
2020101026.tif 000004
【図３】
2020101026.tif 000005
【図４】
2020101026.tif 000006
【図５】
2020101026.tif 000007
【図６】
2020101026.tif 000008
【図７】
2020101026.tif 000009
【図８】
2020101026.tif 000010
【図９】
2020101026.tif 000011
【図１０】
2020101026.tif 000012
【図１１】
2020101026.tif 000013
【図１２】
2020101026.tif 000014
【図１３】
2020101026.tif 000015
【図１４】
2020101026.tif 000016
【図１５】
2020101026.tif 000017
【図１６】
2020101026.tif 000018
【図１７】
2020101026.tif 000019
【図１８】
2020101026.tif 000020
【図１９】
2020101026.tif 000021
【図２０】
2020101026.tif 000022
【図２１】
2020101026.tif 000023
【図２２】
2020101026.tif 000024
【図２３】
2020101026.tif 000025
【図２４】
2020101026.tif 000026